(57)【要約】【課題】病理医の作成したレポートから病理診断結果をより正確に理解する。【解決手段】検体画像およびその識別情報を受信する画像受信部９と、検体画像を表示する画像表示部１０と、該画像表示部１０により表示された検体画像の表示状態を病理医に調節させる表示状態調節部１１と、該表示状態調節部１１による表示状態を特定する表示状態特定部１２と、該表示状態特定部１２により特定された表示状態の検体画像から解像度を下げた低解像度画像を複製する低解像度画像複製部１４と、検体画像の識別情報と表示状態特定部１２により特定された表示状態とを関連づけた画像表示情報を作成する表示情報作成部１３と、レポートフォーマットに、低解像度画像と画像表示情報とを貼り付けるレポート作成部１５と、レポートを送信するレポート送信部１６とを備える病理医端末装置１を提供する。【選択図】図２
2011090568.tif 000002
【特許請求の範囲】
【請求項１】
検体画像およびその識別情報を受信する画像受信部と、
該画像受信部により受信された検体画像を表示する画像表示部と、
該画像表示部により表示された検体画像の表示状態を病理医に調節させる表示状態調節部と、
該表示状態調節部により調節された検体画像のいずれかの表示状態を病理医による診断が行われた際に表示されていた表示状態として特定する表示状態特定部と、
該表示状態特定部により特定された表示状態の検体画像から解像度を下げた低解像度画像を複製する低解像度画像複製部と、
前記検体画像の識別情報と前記表示状態特定部により特定された表示状態とを関連づけた画像表示情報を作成する表示情報作成部と、
レポートフォーマットに、前記低解像度画像複製部により複製された低解像度画像と、前記表示情報作成部により作成された画像表示情報とを貼り付けるレポート作成部と、
該レポート作成部により作成されたレポートを送信するレポート送信部とを備えることを特徴とする病理医端末装置。
【請求項２】
前記表示状態が、前記画像表示部に表示された検体画像の表示部分の位置および検体画像の表示部分の表示倍率を含むことを特徴とする請求項１に記載の病理医端末装置。
【請求項３】
前記表示状態特定部が、病理医により操作される入力手段を備えることを特徴とする請求項１に記載の病理医端末装置。
【請求項４】
前記入力手段が、病理医により押されるボタンを備え、
前記表示状態特定部は、前記ボタンが押下された際に前記画像表示部に表示されていた検体画像の表示状態を、診断が行われた際に表示されていた表示状態として特定することを特徴とする請求項３に記載の病理医端末装置。
【請求項５】
前記入力手段は、病理医が診断に関するコメントを入力するコメント入力手段であり、
前記表示状態特定部が、前記コメント入力手段の操作によりコメントが入力された際に前記画像表示部に表示されていた検体画像の表示状態を、診断が行われた際に表示された表示状態として特定することを特徴とする請求項３に記載の病理医端末装置。
【請求項６】
前記表示状態調節部を用いた前記検体画像の病理医による調節履歴を時系列に記憶する表示履歴記憶部を備え、
前記表示情報作成部が、前記検体画像の識別情報、前記表示状態特定部により特定された表示状態および前記表示履歴記憶部に記憶された病理医による表示状態の調節履歴とを関連づけて画像表示情報を作成することを特徴とする請求項１に記載の病理医端末装置。
【請求項７】
検体画像を記憶する検体画像サーバと、
病理医により操作され、前記検体画像サーバに記憶された前記検体画像を表示してレポートを作成する病理医端末装置と、
該病理医端末装置から送信されたレポートを記憶するレポートサーバと、
担当医により操作され、前記レポートサーバに記憶されているレポートを表示する担当医端末装置とがネットワークを介して接続してなり、
前記病理医端末装置が、
前記検体画像サーバから前記ネットワークを介して検体画像およびその識別情報を受信する画像受信部と、
該画像受信部により受信された検体画像を表示する画像表示部と、
該画像表示部により表示された検体画像の表示状態を病理医に調節させる表示状態調節部と、
該表示状態調節部により調節された検体画像のいずれかの表示状態を病理医による診断が行われた際に表示されていた表示状態として特定する表示状態特定部と、
該表示状態特定部により特定された表示状態の検体画像から解像度を下げた低解像度画像を複製する低解像度画像複製部と、
前記検体画像の識別情報と前記表示状態特定部により特定された表示状態とを関連づけた画像表示情報を作成する表示情報作成部と、
レポートフォーマットに、前記低解像度画像複製部により複製された低解像度画像と、前記表示情報作成部により作成された画像表示情報とを貼り付けるレポート作成部と、
該レポート作成部により作成されたレポートを、前記ネットワークを介して前記レポートサーバへ送信するレポート送信部とを備えることを特徴とする病理診断システム。
【請求項８】
前記検体画像の識別情報が、前記検体画像サーバに記憶されている検体画像のアドレスであることを特徴とする請求項７に記載の病理診断システム。
【発明の詳細な説明】
【技術分野】
【０００１】
本発明は、病理医端末装置および病理診断システムに関するものである。
【背景技術】
【０００２】
従来、臨床検査医から検体を受け取った病理医は、当該検体からスライドを作成し、スライド上の検体の各部を拡大して撮影し、取得された画像に基づいて検体の病理診断を行い、その診断結果としてレポートを作成する。この場合に、レポートには通常、病理診断に用いられた検体の画像が貼り付けられるとともに、該検体画像に基づく所見が対応づけて記載される。
したがって、担当医は、レポートに記載されている検体の画像と病理医による所見とに基づいて病理診断結果に応じた最適な治療を患者に対して行うことになる。
【先行技術文献】
【特許文献】
【０００３】
【特許文献１】特開２００４−３０５２８９号公報
【発明の概要】
【発明が解決しようとする課題】
【０００４】
しかしながら、病理診断に用いられる検体画像は、極めて高精細に検体を表現できるように高解像度の画像が採用されるため、レポートの限られたスペースに貼り付ける場合には解像度を低下させる必要がある。このため、担当医は、病理医が診断を行った際に実際に目にした高精細な検体画像を見ることができず、それよりも低い解像度の検体画像と、該検体画像に対応づけられている所見とに基づいて病理診断結果を理解しなければならず、必ずしも正確に病理医の診断結果を理解することができない場合があるという不都合がある。
【０００５】
本発明は上述した事情に鑑みてなされたものであって、病理医の作成したレポートから病理診断結果をより正確に理解することを可能とする病理医端末装置および病理診断システムを提供することを目的としている。
【課題を解決するための手段】
【０００６】
上記目的を達成するために、本発明は以下の手段を提供する。
本発明は、検体画像およびその識別情報を受信する画像受信部と、該画像受信部により受信された検体画像を表示する画像表示部と、該画像表示部により表示された検体画像の表示状態を病理医に調節させる表示状態調節部と、該表示状態調節部により調節された検体画像のいずれかの表示状態を病理医による診断が行われた際に表示されていた表示状態として特定する表示状態特定部と、該表示状態特定部により特定された表示状態の検体画像から解像度を下げた低解像度画像を複製する低解像度画像複製部と、前記検体画像の識別情報と前記表示状態特定部により特定された表示状態とを関連づけた画像表示情報を作成する表示情報作成部と、レポートフォーマットに、前記低解像度画像複製部により複製された低解像度画像と、前記表示情報作成部により作成された画像表示情報とを貼り付けるレポート作成部と、該レポート作成部により作成されたレポートを送信するレポート送信部とを備える病理医端末装置を提供する。
【０００７】
本発明によれば、病理医は、画像受信部により受信され画像表示部に表示された検体画像を、表示状態調節部により表示状態を調節しながら観察することにより診断することができる。また、病理医は、表示状態特定部により特定された診断時の表示状態の画像を低解像度画像複製部により複製してレポートフォーマットに貼り付けることによりレポートを作成し、該レポートをレポート送信部により担当医に宛てて送信することにより、診断結果を担当医に報告することができる。
【０００８】
この場合に、担当医が取得したレポートには、表示情報作成部によって作成された画像表示情報が貼り付けられている。これにより、担当医は、検体画像の識別情報に基づいて診断に用いられた検体画像を取得し、取得した検体画像を病理医が診断したときと同じ表示状態で表示させて、病理診断結果をより正確に理解することができる。
【０００９】
上記発明においては、前記表示状態が、前記画像表示部に表示された検体画像の表示部分の位置および検体画像の表示部分の表示倍率を含むこととしてもよい。
このようにすることで、担当医は、病理医が診断したときとより近い表示状態で検体画像を再現することができる。
【００１０】
また、上記発明においては、前記表示状態特定部が、病理医により操作される入力手段を備えることとしてもよい。
このようにすることで、病理医は、診断により適した表示状態の画像を任意に特定することができる。
【００１１】
また、上記発明においては、前記入力手段が、病理医により押されるボタンを備え、前記表示状態特定部は、前記ボタンが押下された際に前記画像表示部に表示されていた検体画像の表示状態を、診断が行われた際に表示されていた表示状態として特定することとしてもよい。
このようにすることで、病理医が簡便な操作で表示状態を特定することができる。
【００１２】
また、上記発明においては、前記入力手段は、病理医が診断に関するコメントを入力するコメント入力手段であり、前記表示状態特定部が、前記コメント入力手段の操作によりコメントが入力された際に表示されていた検体画像の表示状態を、診断が行われた際に表示された表示状態として特定することとしてもよい。
このようにすることで、担当医は、特定された表示状態の検体画像と該検体画像に基づく診断内容とを容易に対応付けて理解することができる。
【００１３】
また、上記発明においては、前記表示状態調節部を用いた前記検体画像の病理医による調節履歴を時系列に記憶する表示履歴記憶部を備え、前記表示情報作成部が、前記検体画像の識別情報、前記表示状態特定部により特定された表示状態および前記表示履歴記憶部に記憶された病理医による表示状態の調節履歴とを関連づけて画像表示情報を作成することとしてもよい。
このようにすることで、担当医は、病理医が観察したときと同じ過程にしたがって表示状態を変化させながら検体画像を表示させ、病理医による検体画像の診断をさらに正確に理解することができる。
【００１４】
また、本発明は、検体画像を記憶する検体画像サーバと、病理医により操作され、前記検体画像サーバに記憶された前記検体画像を表示してレポートを作成する病理医端末装置と、該病理医端末装置から送信されたレポートを記憶するレポートサーバと、担当医により操作され、前記レポートサーバに記憶されているレポートを表示する担当医端末装置とがネットワークを介して接続してなり、前記病理医端末装置が、前記検体画像サーバから前記ネットワークを介して検体画像およびその識別情報を受信する画像受信部と、該画像受信部により受信された検体画像を表示する画像表示部と、該画像表示部により表示された検体画像の表示状態を病理医に調節させる表示状態調節部と、該表示状態調節部により調節された検体画像のいずれかの表示状態を病理医による診断が行われた際に表示されていた表示状態として特定する表示状態特定部と、該表示状態特定部により特定された表示状態の検体画像から解像度を下げた低解像度画像を複製する低解像度画像複製部と、前記検体画像の識別情報と前記表示状態特定部により特定された表示状態とを関連づけた画像表示情報を作成する表示情報作成部と、レポートフォーマットに、前記低解像度画像複製部により複製された低解像度画像と、前記表示情報作成部により作成された画像表示情報とを貼り付けるレポート作成部と、該レポート作成部により作成されたレポートを、前記ネットワークを介して前記レポートサーバへ送信するレポート送信部とを備えることを特徴とする病理診断システムを提供する。
【００１５】
本発明によれば、病理医は、病理医端末装置を用いて検体画像サーバに記憶されている検体画像を取得し、該検体画像を診断してレポートを作成し、作成したレポートをレポートサーバに送信することにより、担当医に宛てて診断結果のレポートを提出することができる。担当医は、病理医が提出したレポートを、担当医端末装置を用いてレポートサーバから取得し、レポートに貼り付けられた画像表示情報に基づいて、診断に用いられた検体画像を病理医が診断したときと同じ表示状態で再現することにより、病理診断結果をより正確に理解することができる。
【００１６】
この場合に、例えば、検体画像が遠隔地に設置された検体画像サーバに記憶され、担当医が遠隔地で勤務していても、迅速に病理診断を行ってそのレポートを担当医に宛てて提出することができる。
【００１７】
また、上記発明においては、前記検体画像の識別情報が、前記検体画像サーバに記憶されている検体画像のアドレスであることとしてもよい。
このようにすることで、検体画像サーバに記憶されている検体画像群の中から所望の検体画像を容易に選択して取得することができる。
【発明の効果】
【００１８】
本発明によれば、病理医の作成したレポートから病理診断結果をより正確に理解することを可能とするという効果を奏する。
【図面の簡単な説明】
【００１９】
【図１】本発明の一実施形態に係る病理診断システムの全体構成図である。
【図２】本発明の一実施形態に係る病理医端末装置の機能を示すブロック図である。
【図３】図２の病理医端末装置のモニタに表示される画面とレポートフォーマットの一例を示す図である。
【図４】図２の病理医端末装置の変形例を示すブロック図である。
【図５】図２の病理医端末装置のもう１つの変形例を示すブロック図である。
【図６】図２の病理医端末装置のもう１つの変形例を示すブロック図であり、
【図７】図２の病理医端末装置を用いて作成されるレポートの変形例を示す図である。
【発明を実施するための形態】
【００２０】
本発明の一実施形態に係る病理医端末装置１および病理診断システム１００について、図１〜図７を参照して以下に説明する。
本実施形態に係る病理診断システム１００は、図１に示されるように、検体のデジタル画像を記憶する検体画像サーバ２と、病理診断の際に使用される本実施形態に係る病理医端末装置１と、該病理医端末装置１を用いて病理医が作成したレポートを記憶するレポートサーバ３と、該レポートサーバ３に記憶されたレポートを受信して担当医に提示する担当医端末装置４とを備え、これらがネットワーク５を介して接続されて構成されている。
【００２１】
検体画像サーバ２は、患者の体から採取された検体から病理標本を作成する検査施設６、例えば、病院内の検査室や検査会社などに設置される。病院７で患者から採取された検体は、病院７が各患者に付与する患者ＩＤとともに検査施設６に送られる。検査施設６では、送られてきた検体をスライドガラス上に貼付し、該スライドガラス上の検体に病理染色を施すことにより、病理標本を作製する。このときに、検体が手術標本など比較的寸法が大きい場合は、異なる位置から切り出した複数枚の薄い切片を、その切り出し位置と対応付けて同一または異なるスライドガラスに貼り付ける。
【００２２】
作成された病理標本は、例えば、２０〜４０倍の対物レンズを用いて各部を拡大して撮影される。具体的には、予め病理標本である観察体を小領域に分割しておき、分割した小領域を２０〜４０倍の解像度の高い対物レンズを用いて各々撮影した後、撮影によって得られた画像をつなぎ合わせることによって、観察体の画像を再構築する。なお、観察体に厚みがある場合は、対物レンズの光軸に対して垂直な方向（Ｘ，Ｙ方向）の画像だけでなく、対物レンズの光軸方向（Ｚ方向）の画像をさらに取得しても良い。これにより、顕微鏡下で検体を観察する場合と同等の分解能を有するデジタル画像であるバーチャルスライド画像が作成される。作成されたバーチャルスライド画像は、患者ＩＤと関連付けて検体画像サーバ２に記憶される。
【００２３】
病理医端末装置１は、例えば、ＣＰＵ（中央演算装置）を備えるコンピュータである。病理医端末装置１は、病理医が勤務する病院に設置され、インターネットまたは専用回線等のネットワーク５を介して検体画像サーバ２と接続されている。
【００２４】
病理医端末装置１は、図２に示されるように、診断依頼情報を受信する依頼受付部８と、検体画像サーバ２に記憶されたバーチャルスライド画像を受信する画像受信部９と、該画像受信部９により受信されバーチャルスライド画像を表示する画像表示部１０と、該画像表示部に表示されたバーチャルスライド画像の表示状態を調節する表示状態調節部１１と、バーチャルスライド画像の表示状態を特定する表示状態特定部１２と、画像表示部１０に表示されたバーチャルスライド画像のアドレスと表示状態とを関連付けた画像表示情報を作成する表示情報作成部１３と、バーチャルスライド画像の低解像度画像を複製する低解像度画像複製部１４と、所定のレポートフォーマットを用いてレポートを作成するレポート作成部１５と、作成されたレポートをレポートサーバ３に送信するレポート送信部１６とを備えている。
【００２５】
依頼受付部８は、例えば、担当医が必要事項を入力し担当医端末装置４から送信した所定の診断依頼用フォーマットを受信することにより、診断依頼情報を受け付ける。診断依頼情報には、患者ＩＤ、担当医による臨床所見、検体が採取された組織部位等の情報が含まれている。
【００２６】
画像受信部９は、依頼受付部８により受け付けられた診断依頼情報に含まれる患者ＩＤと関連付けられたバーチャルスライド画像を検体画像サーバ２に記憶されたバーチャルスライド画像群の中から検索して取得する。このときに、画像受信部９は、検体画像サーバ２内におけるバーチャルスライド画像のアドレス（識別情報）の情報もともに取得する。
【００２７】
画像表示部１０は、例えば、液晶モニタであり、画像受信部９により受信されたバーチャルスライド画像を表示する。このときに、同一の患者ＩＤと関連付けられているバーチャルスライド画像が複数存在する場合、すなわち、同一の検体から複数の切片が切り出されている場合、画像表示部１０は、これらのバーチャルスライド画像を異なるフレームで表示する。また、画像表示部１０は、バーチャルスライド画像とともに、該バーチャルスライド画像の診断結果を記入する所定のレポートフォーマットを並べて表示するようになっている。
【００２８】
表示状態調節部１１は、操作者の操作に従って、画像表示部１０に複数のバーチャルスライド画像が表示されている場合にはいずれか１つのバーチャルスライド画像を選択し、また、バーチャルスライド画像の表示部分および表示倍率を調節する。
【００２９】
例えば、表示調節部１１は、キーボードやマウスなどの外部入力装置を備え、画像表示部１０に複数のバーチャルスライド画像が表示されている場合には、病理医が画像表示部１０に表示されているマウスポインタを所望のバーチャルスライド画像が表示されているフレーム上に移動させ該フレームを指定することにより、所望のバーチャルスライド画像のフレームが選択されて他のフレームより前面に表示されるようになっている。また、病理医がキーボードの所望の方向のカーソルキーを押すことにより、バーチャルスライド画像の表示部分が左右上下方向に移動し、病理医がマウスに設けられたマウスホイールを前後方向に回転させることにより、表示倍率が拡大または縮小されるようになっている。
【００３０】
表示状態特定部１２は、病理医により文字が入力されるコメント入力手段１７、例えば、キーボードを備えている。表示状態特定部１２は、レポートフォーマットの所定個所にコメント入力手段１７により文字が入力されると、そのときに画像表示部１０に表示されていたバーチャルスライド画像の表示状態、すなわち、表示部分の位置、表示倍率、および、複数のバーチャルスライド画像が画像表示部１０に表示されている場合には選択されているバーチャルスライド画像を特定するようになっている。
【００３１】
例えば、図３に示されるように、画像表示部１０には、検体の異なる位置から切り出された切片のバーチャルスライド画像Ａ１〜Ａ５と、レポートフォーマットＢとが並んで表示される。レポートフォーマットＢには、低解像度画像が貼付される画像欄ｂ１とコメントが記入されるコメント欄ｂ２とが並んで設けられている。そして、病理医が、バーチャルスライド画像Ａ２の斜線で示される領域ａを４０倍の表示倍率で表示していたときにコメント欄ｂ２にコメントを入力したとする。このときに、表示状態特定部１２は、複数のバーチャルスライドＡ１〜Ａ５のうち選択されているバーチャルスライドＡ２を特定し、表示部分を領域ａの中心位置（Ｘ，Ｙ）として特定し、表示倍率を４０倍と特定する。なお、Ｚ方向の画像を取得している場合は、さらにＺ方向の位置も特定する。
【００３２】
表示情報作成部１３は、表示状態特定部１２によって特定されたバーチャルスライド画像のアドレスと、表示状態特定部１２によって特定された表示状態とを関連付けた画像表示情報を作成する。
低解像度画像複製部１４は、表示状態特定部１２によって特定された表示状態のバーチャルスライド画像を、例えば、２００ｄｐｉまで解像度を下げて複製し低解像度画像を作成する。
【００３３】
レポート作成部１５は、入力されたコメントと対応付けて、低解像度画像複製部１７によって複製された低解像度画像をレポートフォーマットに貼り付ける。図３に示される例では、いずれかのコメント入力欄ｂ２にコメントが入力されると、そのコメント欄ｂ２の隣の画像欄ｂ１に低解像度画像が貼り付けられる。このときに、レポート作成部１５は、画像表示情報に含まれるアドレスをリンク先情報として設定するとともに、リンク先のバーチャルスライド画像が、画像表示情報に含まれる表示部分および表示倍率で表示されるように設定するようになっている。
【００３４】
レポート送信部１６は、レポート作成部１５によって作成されたレポートを、レポートサーバ３に送信する。
レポートサーバ３は、例えば、担当医が勤務する病院７内に設置されたサーバが用いられる。レポートサーバ３は、病理医端末装置１からレポートを受信すると、該レポートを記憶するとともに、レポートを受信した旨の情報を担当医端末装置４に送信する。
担当医端末装置４は、担当医の操作によりレポートサーバ３からレポートを受信し、受信したレポートをモニタ（図示略）に表示させる。
【００３５】
このように構成された病理医端末装置１および病理診断システム１００の作用について以下に説明する。
担当医は、患者の病変部位から検体を採取すると、該検体を、患者ＩＤを付して検査施設６に輸送するとともに、病理医宛てに診断依頼情報を送信する。
【００３６】
病理医は、自身の利用している病理医端末装置１により診断依頼が受け付けられ、バーチャルスライド画像が画像表示部１０に表示されると、表示部分や表示倍率を調節しながらバーチャルスライド画像を観察する。そして、病理医は、バーチャルスライド画像内に病変部位を見つけると、バーチャルスライド画像をそのままの状態で表示させながら、バーチャルスライド画像と並んで表示されたレポートフォーマットに、コメント入力手段１７を使用してコメントを入力する。これにより、そのときに画像表示部１０に表示されていたバーチャルスライド画像の低解像度画像が、レポートフォーマットに貼り付けられる。病理医は、他の部分の観察を続け、新たに病変部位を見つけたときはその都度コメントを入力し、バーチャルスライド画像全体の観察が終了したら、レポートをレポートサーバ３に送信する。
【００３７】
担当医は、自身が依頼した病理診断のレポートがレポートサーバ３に届いた旨の情報を受信すると、担当医端末装置４によりレポートサーバ３からレポートを取得しモニタに表示させ、レポートのコメントを低解像度画像と比較しながら検討する。そして、担当医は、低解像度画像からでは病理医による診断結果を十分に理解できない場合には、低解像度画像に貼られたリンク先からバーチャルスライド画像を読み出すことにより、低解像度画像と表示部分および表示倍率が同一のバーチャルスライド画像をモニタに表示させて観察する。
【００３８】
このように、本実施形態によれば、診断に用いられたバーチャルスライド画像が、病理医が診断したときと同じ表示状態で担当医にも提示される。これにより、レポートに貼付された低解像度画像からでは認識することができない詳細な部分も担当医が自身の目で確認し、病理医による診断結果を正確に理解することができるという利点がある。また、Ｚ方向の画像を取得して検体画像サーバ２に格納しておくことにより、担当医は、レポートから病理医が注目している箇所周辺のＺ方向の画像を容易に見ることができる。
【００３９】
上記実施形態においては、コメント入力手段１７によりレポートフォーマットの所定個所に文字が入力されたときに、バーチャルスライド画像の表示状態が特定されることとしたが、これに代えて、図４に示されるように、ボタン１８を備え、該ボタン１８が押下されたときにバーチャルスライド画像の表示状態が特定されることとしてもよい。
【００４０】
例えば、病理医は、バーチャルスライド画像内に病変部位を見つけると、表示状態を適切に調節してからボタン１８を押し、その度に低解像度画像がレポートフォーマットに貼付される。病理医は、バーチャルスライド画像を一通り観察し終えてから、レポートフォーマットに低解像度画像と対応付けてコメントを入力する。
このようにすることで、病理医により任意のタイミングで表示状態が特定されるので、病理医の好みに応じた手順で診断を進めながらレポートを作成することができる。
【００４１】
また、上記実施形態においては、図５に示されるように、マイクなどの音声を入力する音声入力手段１９を備え、該音声入力手段１９により音声が入力されたときに、表示状態特定部１２がバーチャルスライド画像の表示状態を特定することとしてもよい。
この場合、病理医は、病変部位を見つけると、例えば、マイクの入力をオンにして所見を録音する。これにより、そのときのバーチャルスライド画像の表示状態が特定されるとともに、低解像度画像がレポートフォーマットに貼付される。
【００４２】
音声入力手段１９により録音して作成された音声ファイルは、例えば、図３のコメント欄ｂ２に代えて貼り付けられ、担当医は、音声ファイルを再生させることにより、診断結果を知ることができる。
このようにしても、病理医による操作を簡便にしながら、診断時のバーチャルスライド画像の表示状態を特定することができる。
【００４３】
また、上記実施形態においては、図６に示されるように、表示状態調節部１１の調節履歴を時系列で記憶する表示履歴記憶部２０を備え、表示情報作成部１３が、表示履歴記憶部２０に記憶された調節履歴を、バーチャルスライド画像のアドレスおよび表示状態特定部１２によって特定された表示状態と関連付けて画像表示情報を作成することとしてもよい。
【００４４】
通常の診断において、病理医は、バーチャルスライド画像全体を比較的低倍率で観察して正常部位と病変部位とを大まかに判断する。そして、病理医は、表示倍率を上げて、正常部位は比較的短時間で再度観察し、病変部位は、比較的時間をかけて、また、倍率をさらに上げて観察する。したがって、病理医が診断したときの表示状態の調節履歴に従ってバーチャルスライド画像を再現することで、病理医がどの部位に注目したかなどが容易に分かり、病理診断結果をより正確に理解することができる。
【００４５】
また、上記実施形態においては、レポート作成部１５が、レポートフォーマットに貼り付けられた低解像度画像にバーチャルスライド画像のアドレスをリンク先情報として設定することとしが、これに代えて、レポートフォーマットの一部にバーチャルスライド画像へのリンク情報が貼り付けられていることとしてもよい。
【００４６】
例えば、図７に示されるように、画像表示情報が記録された２次元バーコードｂ３がレポートフォーマットＢに貼りつけられている。担当医は、２次元バーコードｂ３をバーコードリーダで読み取って検体画像サーバ２からバーチャルスライド画像を読み出す。このようにすることで、紙に印刷されたレポートからでも、病理医の診断時と同一の表示状態のバーチャルスライド画像を簡便な操作で読み出すことができる。
【符号の説明】
【００４７】
１  病理医端末装置
２  検体画像サーバ
３  レポートサーバ
４  担当医端末装置
５  ネットワーク
６  検査施設
７  病院
８  依頼受付部
９  画像受信部
１０  画像表示部
１１  表示状態調節部
１２  表示状態特定部
１３  表示情報作成部
１４  低解像度画像複製部
１５  レポート作成部
１６  レポート送信部
１７  コメント入力手段
１８  ボタン
１９  音声入力手段
２０  表示履歴記憶部
１００  病理診断システム
Ａ１〜Ａ５  バーチャルスライド画像
Ｂ  レポートフォーマット
ｂ１  画像欄
ｂ２  コメント欄
ｂ３  ２次元バーコード
【図１】
2011090568.tif 000003
【図２】
2011090568.tif 000004
【図３】
2011090568.tif 000005
【図４】
2011090568.tif 000006
【図５】
2011090568.tif 000007
【図６】
2011090568.tif 000008
【図７】
2011090568.tif 000009